(57)【要約】【課題】  ユーザがカメラ付の携帯電話機を携行して撮影禁止区域に立ち入る場合、携帯電話機の電源がオフ状態でも、撮影禁止区域の管理者側からカメラの機能を使用禁止にする。【解決手段】非接触ICカードシステム読み取り部１９は、携帯電話機１が撮影禁止信号の受信動作を行うための電力を電磁誘導によって供給すると共に同撮影禁止信号を送信し、携帯電話機１が、電源のオン／オフ状態に関わらず、同非接触ICカードシステム読み取り部１９から同電力の供給を受けると共に同撮影禁止信号を受信するので、携帯電話機１の撮影機能の禁止設定が、ユーザではなく、撮影禁止区域の管理者により行われる。このため、秘密事項に相当するものの画像の漏洩防止が確実に行われると共に管理者側の安心度が向上する。また、携帯電話機１のユーザも、管理者側から疑われることなく、通話や通信など、撮影以外の目的で携帯電話機１を撮影禁止区域内で使用することができる。【選択図】図１
2006191274.tif 000002
【特許請求の範囲】
【請求項１】
一つ又は複数の機能を有する携帯通信端末と、
該携帯通信端末に無線接続され、前記各機能のうちの任意の機能に対応する動作を禁止／許可するための動作禁止／許可信号を送信する信号送信装置とを備えてなる携帯通信端末システムであって、
前記信号送信装置は、
当該携帯通信端末が前記動作禁止／許可信号の受信動作を行うための電力を電磁誘導によって供給すると共に該動作禁止／許可信号を送信する構成とされ、
前記携帯通信端末は、
前記信号送信装置から前記動作禁止／許可信号の受信動作を行うための電力の供給を電磁誘導によって受けると共に前記動作禁止／許可信号を受信する構成とされていることを特徴とする携帯通信端末システム。
【請求項２】
前記携帯通信端末は、
撮影手段と、
前記信号送信装置から該撮影手段の動作を禁止／許可する撮影禁止／許可信号の受信動作を行うための電力の供給を電磁誘導によって受けると共に前記撮影禁止／許可信号を受信する無線受信手段とを備え、
前記信号送信装置は、
当該携帯通信端末が前記撮影禁止／許可信号の受信動作を行うための電力を電磁誘導によって供給すると共に該撮影禁止／許可信号を送信する無線送信手段を備えてなることを特徴とする請求項１記載の携帯通信端末システム。
【請求項３】
前記無線受信手段は、
前記撮影禁止／許可信号の受信を行うＲＦＩＤ（Radio Frequency Identification）の無線通信仕様に基づいて構成され、
前記無線送信手段は、
前記撮影禁止／許可信号の送信を行うＲＦＩＤの無線通信仕様に基づいて構成されていることを特徴とする請求項２記載の携帯通信端末システム。
【請求項４】
一つ又は複数の機能を有する携帯通信端末と、
該携帯通信端末に無線接続され、前記各機能のうちの任意の機能に対応する動作を禁止／許可するための動作禁止／許可信号を送信する信号送信装置とを備え、該信号送信装置は、当該携帯通信端末が前記動作禁止／許可信号の受信動作を行うための電力を電磁誘導によって供給すると共に該動作禁止／許可信号を送信する構成とされている携帯通信端末システムに用いられ、
前記信号送信装置から前記動作禁止／許可信号の受信動作を行うための電力の供給を電磁誘導によって受けると共に前記動作禁止／許可信号を受信する構成とされていることを特徴とする携帯通信端末。
【請求項５】
撮影手段と、
前記信号送信装置から該撮影手段の動作を禁止／許可する撮影禁止／許可信号の受信動作を行うための電力の供給を電磁誘導によって受けると共に前記撮影禁止／許可信号を受信する無線受信手段とを備えてなることを特徴とする請求項４記載の携帯通信端末。
【請求項６】
前記無線受信手段は、
前記撮影禁止／許可信号の受信を行うＲＦＩＤ（Radio Frequency Identification）の無線通信仕様に基づいて構成されていることを特徴とする請求項５記載の携帯通信端末。
【請求項７】
一つ又は複数の機能を有する携帯通信端末と、
該携帯通信端末に無線接続され、前記各機能のうちの任意の機能に対応する動作を禁止／許可するための動作禁止／許可信号を送信する信号送信装置とを備えてなる携帯通信端末システムに用いられ、
前記信号送信装置は、
当該携帯通信端末が前記動作禁止／許可信号の受信動作を行うための電力を電磁誘導によって供給すると共に該動作禁止／許可信号を送信し、
前記携帯通信端末が、
前記信号送信装置から前記動作禁止／許可信号の受信動作を行うための電力の供給を電磁誘導によって受けると共に前記動作禁止／許可信号を受信することを特徴とする機能制限方法。
【請求項８】
コンピュータに請求項１乃至３のうちのいずれか一に記載の携帯通信端末システムを制御させるための機能制限制御プログラム。
【発明の詳細な説明】
【技術分野】
【０００１】
この発明は、携帯通信端末システム、該システムに用いられる携帯通信端末、機能制限方法及び機能制限制御プログラムに係り、たとえば、ユーザがカメラ付の携帯電話機を携行して撮影禁止区域に立ち入る場合に用いて好適な携帯通信端末システム、該システムに用いられる携帯通信端末、機能制限方法及び機能制限制御プログラムに関する。
【背景技術】
【０００２】
携帯電話機は、近年では、大半の機種に撮影機能が設けられ、静止画、動画を問わず画像を電子データとして取り込むことができる。また、この種の携帯電話機は、撮影された画像データを、データ転送機能により瞬時に別の場所に送ることも可能である。これらの機能は、日常生活において非常に便利なものであるが、その反面、脅威として受け入れられることもある。たとえば、企業の敷地内には、開発途中の製品をはじめとする社外秘に相当するものが数多く存在するが、商談などで敷地内に招き入れた顧客や出入りの業者（たとえば、運送業社や販売業社など）のカメラ付き携帯電話機により、それらの画像が撮影され、外部に漏洩するという問題点がある。
【０００３】
この対策として、撮影時にシャッター開閉時の機械音のような疑似音を発生することにより、撮影したことを周囲に知らせるカメラ付き携帯電話機があるが、周囲に人がいなければ、誰も気付かないため、上記の問題点は改善されない。また、カメラ付き携帯電話機には、撮影機能を無効に設定する機能を有しているものがあるが、この機能は、ユーザにより設定されるものであり、撮影禁止区域の管理者側から設定するものではないため、上記の問題点は改善されない。
【０００４】
また、顧客の目の届かない場所に配置することができない製品などの画像の漏洩を防ぐためには、顧客が企業敷地内に居る間、同敷地内の撮影禁止区域の管理者が、顧客のカメラ付き携帯電話機のレンズに企業側が認定したシールを貼付するか、あるいはカメラ付き携帯電話機を預かることが考えられる。ところが、前者の場合、顧客が撮影以外の目的でカメラ付き携帯電話機を使用中に、不可抗力でシールに損傷を与えた場合、企業側はその損傷原因の判定が困難である。シールの粘着力についても、弱ければ何の効果もなく、また、強すぎれば敷地外でシールを剥がした後のレンズやレンズ周辺の筺体に対する損傷及び汚れが問題になる。また、後者の場合、企業側にとって一番有効な対策方法であるが、顧客側から見れば、通話や撮影以外の機能も使用することができなくなるため、不便である。
【０００５】
上記の携帯電話機の他、従来、この種の技術としては、たとえば、次のような文献に記載されるものがあった。
特許文献１に記載された携帯通信端末（同文献では「カメラ付き携帯電話機器」）では、摺動可能な蓋体によりカメラ部の全面が覆われるようになっている。このため、撮影機能を使用していないことが周囲にわかるようになっている。
【０００６】
特許文献２に記載された携帯通信端末（同文献では「撮影制限システム」）では、撮影制限情報送信装置から撮影制限情報が送信され、携帯通信端末の近距離無線通信部で受信される。この撮影制限情報により、携帯通信端末の各部が制御される。このため、撮影機能を有する携帯通信端末では、たとえば、映画館、劇場、銀行などの撮影制限区域内での撮影禁止やフラッシュの使用禁止などの撮影制限が、容易かつ確実に行われる。上記近距離無線通信部は、Bluetooth （ブルートゥース）の無線通信仕様に基づいて構成されている。
【特許文献１】特開２００３−２８９３５８号公報（要約書、図１）
【特許文献２】特開２００４−０２３６９２号公報（第８頁、図１）
【発明の開示】
【発明が解決しようとする課題】
【０００７】
しかしながら、上記従来の携帯通信端末では、次のような問題点があった。
すなわち、特許文献１に記載されたカメラ付き携帯電話機器では、カメラ部の全面を覆う設定は、通常、カメラ付き携帯電話のユーザにより自由に有効又は無効にできるものであり、撮影禁止区域の管理者側から設定するものではないため、画像が外部に漏洩するという問題点は、改善されない。
【０００８】
特許文献２に記載された撮影制限システムでは、近距離無線通信部がBluetooth の仕様になっているため、携帯通信端末の電源がオン状態でなければ、撮影制限が行われないという問題点がある。
【０００９】
上記各文献の他、撮影制限装置からの赤外線通信により撮影制限が行われるものも提案されているが、上記特許文献２と同様に、携帯通信端末の電源がオン状態でなければ、撮影制限が行われないという問題点がある。
【００１０】
この発明は、上述の事情に鑑みてなされたもので、撮影機能の使用禁止設定をユーザが行うことなく、撮影禁止区域の管理者側から行うことができ、かつ、その設定が携帯通信端末の電源のオン／オフ状態に関わらず行われる携帯通信端末システムを提供することを目的としている。
【課題を解決するための手段】
【００１１】
上記課題を解決するために、請求項１記載の発明は、一つ又は複数の機能を有する携帯通信端末と、該携帯通信端末に無線接続され、前記各機能のうちの任意の機能に対応する動作を禁止／許可するための動作禁止／許可信号を送信する信号送信装置とを備えてなる携帯通信端末システムに係り、前記信号送信装置は、該携帯通信端末が前記動作禁止／許可信号の受信動作を行うための電力を電磁誘導によって供給すると共に該動作禁止／許可信号を送信する構成とされ、前記携帯通信端末は、前記信号送信装置から前記動作禁止／許可信号の受信動作を行うための電力の供給を電磁誘導によって受けると共に前記動作禁止／許可信号を受信する構成とされていることを特徴としている。
【００１２】
請求項２記載の発明は、請求項１記載の携帯通信端末システムに係り、前記携帯通信端末は、撮影手段と、前記信号送信装置から該撮影手段の動作を禁止／許可する撮影禁止／許可信号の受信動作を行うための電力の供給を電磁誘導によって受けると共に前記撮影禁止／許可信号を受信する無線受信手段とを備え、前記信号送信装置は、当該携帯通信端末が前記撮影禁止／許可信号の受信動作を行うための電力を電磁誘導によって供給すると共に該撮影禁止／許可信号を送信する無線送信手段を備えてなることを特徴としている。
【００１３】
請求項３記載の発明は、請求項２記載の携帯通信端末システムに係り、前記無線受信手段は、前記撮影禁止／許可信号の受信を行うＲＦＩＤ（Radio Frequency Identification）の無線通信仕様に基づいて構成され、前記無線送信手段は、前記撮影禁止／許可信号の送信を行うＲＦＩＤの無線通信仕様に基づいて構成されていることを特徴としている。
【００１４】
請求項４記載の発明は、携帯通信端末に係り、一つ又は複数の機能を有する携帯通信端末と、該携帯通信端末に無線接続され、前記各機能のうちの任意の機能に対応する動作を禁止／許可するための動作禁止／許可信号を送信する信号送信装置とを備え、該信号送信装置は、当該携帯通信端末が前記動作禁止／許可信号の受信動作を行うための電力を電磁誘導によって供給すると共に該動作禁止／許可信号を送信する構成とされている携帯通信端末システムに用いられ、前記信号送信装置から前記動作禁止／許可信号の受信動作を行うための電力の供給を電磁誘導によって受けると共に前記動作禁止／許可信号を受信する構成とされていることを特徴としている。
【００１５】
請求項５記載の発明は、請求項４記載の携帯通信端末に係り、撮影手段と、前記信号送信装置から該撮影手段の動作を禁止／許可する撮影禁止／許可信号の受信動作を行うための電力の供給を電磁誘導によって受けると共に前記撮影禁止／許可信号を受信する無線受信手段とを備えてなることを特徴としている。
【００１６】
請求項６記載の発明は、請求項５記載の携帯通信端末に係り、前記無線受信手段は、前記撮影禁止／許可信号の受信を行うＲＦＩＤ（Radio Frequency Identification）の無線通信仕様に基づいて構成されていることを特徴としている。
【００１７】
請求項７記載の発明は、機能制限方法に係り、一つ又は複数の機能を有する携帯通信端末と、該携帯通信端末に無線接続され、前記各機能のうちの任意の機能に対応する動作を禁止／許可するための動作禁止／許可信号を送信する信号送信装置とを備えてなる携帯通信端末システムに用いられ、前記信号送信装置は、当該携帯通信端末が前記動作禁止／許可信号の受信動作を行うための電力を電磁誘導によって供給すると共に該動作禁止／許可信号を送信し、前記携帯通信端末が、前記信号送信装置から前記動作禁止／許可信号の受信動作を行うための電力の供給を電磁誘導によって受けると共に前記動作禁止／許可信号を受信することを特徴としている。
【００１８】
請求項８記載の発明は、機能制限制御プログラムに係り、コンピュータに請求項１乃至３のうちのいずれか一に記載の携帯通信端末システムを制御させることを特徴としている。
【発明の効果】
【００１９】
この発明の構成によれば、信号送信装置は、携帯通信端末が動作禁止／許可信号の受信動作を行うための電力を電磁誘導によって供給すると共に同動作禁止／許可信号を送信する構成とされ、同携帯通信端末は、同信号送信装置から同動作禁止／許可信号の受信動作を行うための電力の供給を電磁誘導によって受けると共に同動作禁止／許可信号を受信する構成とされているので、同携帯通信端末の電源のオン／オフ状態に関わらず、同携帯通信端末の各機能のうちの任意の機能に対応した動作の禁止／許可の設定を、同携帯通信端末のユーザではなく、信号送信装置の管理者が行うことができる。
【００２０】
また、信号送信装置の無線送信手段は、携帯通信端末が撮影禁止／許可信号の受信動作を行うための電力を電磁誘導によって供給すると共に同撮影禁止／許可信号を送信し、携帯通信端末の無線受信手段が、同信号送信装置から撮影手段の動作を禁止／許可する撮影禁止／許可信号の受信動作を行うための電力の供給を電磁誘導によって受けると共に同撮影禁止／許可信号を受信するので、同携帯通信端末の電源のオン／オフ状態に関わらず、同携帯通信端末の撮影機能の禁止／許可の設定を、ユーザではなく、信号送信装置の管理者が行うことができる。このため、秘密事項に相当するものの画像の漏洩防止を確実に行うことができると共に管理者側の安心度が向上する。また、携帯通信端末のユーザも、管理者側から疑われることなく、通話や通信など、撮影以外の目的で携帯通信端末を撮影禁止区域内で使用することができる。
【発明を実施するための最良の形態】
【００２１】
カメラ付きの携帯電話機の撮影機能の使用禁止設定を、ユーザが行うことなく、撮影禁止区域の管理者側が行い、かつ、その設定に、ＲＦＩＤの無線通信仕様に基づく非接触ＩＣカードシステム技術を用いる携帯通信端末システムを提供する。
【実施例】
【００２２】
図１は、この発明の実施例である携帯通信端末システムの要部の電気的構成を示すブロック図である。
この例の携帯通信端末システムは、同図に示すように、カメラ付きの携帯電話機１と、撮影禁止設定用の非接触ＩＣカードシステム読み取り部１９とから構成されている。携帯電話機１は、マイク２と、スピーカ３と、音声部４と、ベースバンド部５と、送信部６と、受信部７と、アンテナ共用部８と、アンテナ９と、メモリ１０と、電源部１１と、キー入力部１２と、表示部１３と、制御部１４と、ＲＯＭ（Read Only Memory）１４ａと、非接触ＩＣカードシステムデータ送受信部１５と、非接触ＩＣカードシステムデータ送受信面１６と、撮影部（カメラ）１７と、スイッチ１８とから構成されている。
【００２３】
マイク２は、ユーザの音声を受けて送話を行う。スピーカ３は、送信相手の音声を発生してユーザに伝達する。音声部４は、マイク２からのアナログの音声信号をデジタルに変換すると共に、デジタルの音声信号をアナログに変換してスピーカ３に送出する。アンテナ９は、図示しない無線基地局との間で電波を送受信する。同無線基地局は、図示しない在圏移動通信交換局及び関門移動通信交換局を介して通常の電話回線に接続されている。アンテナ共用部８は、アンテナ９を送信及び受信に共用する。
【００２４】
受信部７は、たとえば、デジタル変調されている受信信号を受信ローカル信号により受信Ｉ信号及び同受信Ｉ信号と直交する受信Ｑ信号に直交復調する。送信部６は、送信Ｉ信号及び同送信Ｉ信号と直交する送信Ｑ信号を送信ローカル信号により送信信号に直交変調する。ベースバンド部５は、受信部７からの受信Ｉ信号及び受信Ｑ信号をアナログ／デジタル変換してＩ成分及びＱ成分からなる受信系ベースバンド信号を出力する一方、Ｉ成分及びＱ成分からなる送信系ベースバンド信号をデジタル／アナログ変換して送信Ｉ信号及び送信Ｑ信号を送信部６へ出力する。
【００２５】
メモリ１０は、ＲＡＭ（Randam Access Memory）などで構成され、携帯電話機１の撮影設定状態（撮影許可状態／撮影禁止状態）、識別情報、現日時、撮影禁止を指令するための撮影禁止暗号キーなどを記憶する。電源部１１は、たとえばリチイムイオン電池などで構成され、当該携帯電話機１全体に電源を供給する。キー入力部１２は、たとえば、送信キー、英字／カナ／漢字／数字の変換キー、電源のオン／オフキー、カーソル操作を行うための十文字キー、及び終了キーなどから構成され、使用者が通信などを行う際に操作される。表示部１３は、たとえば液晶表示装置などで構成され、画面を表示する。制御部１４は、携帯電話機１全体を制御するＣＰＵ（中央処理装置）などで構成されている。ＲＯＭ１４ａは、制御部１４を動作させるための機能制限制御プログラムが記録されている。
【００２６】
非接触ＩＣカードシステムデータ送受信面１６は、携帯電話機１の筐体表面に設けられ、非接触ＩＣカードシステム読み取り部１９と無線接続されて非接触ＩＣカードシステムデータを送受信する。特に、この実施例では、非接触ＩＣカードシステムデータ送受信面１６は、ＲＦＩＤ（Radio Frequency Identification）の無線通信仕様に基づいて構成され、携帯電話機１の電源のオン／オフ状態に関わらず、非接触ＩＣカードシステム読み取り部１９から撮影部１７の動作を禁止／許可する撮影禁止／許可信号の受信動作を行うための電力の供給を電磁誘導によって受けると共に同撮影禁止／許可信号を受信する。非接触ＩＣカードシステムデータ送受信部１５は、制御部１４と有線接続されて非接触ＩＣカードシステムデータを送受信する。撮影部（カメラ）１７は、たとえばＣＣＤ（電荷結合素子）カメラなどで構成され、周辺の画像を電子データとして取り込む。スイッチ１８は、制御部１４の制御により撮影部１７の使用禁止／許可を行う。
【００２７】
読み取り部１９は、たとえば企業の敷地の出入り口にある守衛所のような場所に設置されて携帯電話機１のユーザが入場する場合に用いられるものであり、撮影禁止区域の管理者により撮影禁止設定用として設けられ、非接触ＩＣカードシステム送受信面２０と、非接触ＩＣカードシステム送受信部２１と、制御部２２と、ＲＯＭ２２ａとから構成されている。非接触ＩＣカードシステム送受信面２０は、携帯電話機１のデータ送受信面１６と無線接続されて非接触ＩＣカードシステムデータを送受信する。非接触ＩＣカードシステム送受信部２１は、制御部２２と有線接続されて非接触ＩＣカードシステムデータを送受信する。特に、この実施例では、非接触ＩＣカードシステム送受信面２０は、ＲＦＩＤの無線通信仕様に基づいて構成され、携帯電話機１が所定の範囲の領域内に接近したとき、同携帯電話機１が撮影禁止信号の受信動作を行うための電力を電磁誘導によって供給すると共に同撮影禁止信号を送信する。制御部２２は、読み取り部１９全体を制御するＣＰＵ（中央処理装置）などで構成されている。ＲＯＭ２２ａは、制御部２２を動作させるための機能制限制御プログラムが記録されている。
【００２８】
この場合、携帯電話機１の非接触ＩＣカードシステムデータ送受信部１５が読み取り部１９からデータ送受信面１６を経て撮影禁止設定情報（撮影禁止暗号キー）を取得して制御部１４に送出すると、同制御部１４は、携帯電話機１の撮影設定状態をメモリ１０から読み出し、撮影許可状態であればスイッチ１８をオフ状態にして撮影禁止状態に設定する。
【００２９】
図２は、この発明の実施例である携帯通信端末システムの要部の電気的構成を示す他のブロック図であり、図１中の要素と共通の要素には共通の符号が付されている。
この携帯通信端末システムでは、図１中の非接触ＩＣカードシステム読み取り部１９に代えて、異なる機能を有する非接触ＩＣカードシステム読み取り部２３が設けられている。読み取り部２３は、読み取り部１９と同様に、たとえば企業の守衛所のような場所に設置されて携帯電話機１のユーザが退場する場合に用いられるものであり、撮影禁止区域の管理者により撮影許可設定用として設けられ、非接触ＩＣカードシステム送受信面２４と、非接触ＩＣカードシステム送受信部２５と、制御部２６と、ＲＯＭ２６ａとから構成されている。非接触ＩＣカードシステム送受信面２４は、携帯電話機１のデータ送受信面１６と無線接続されて非接触ＩＣカードシステムデータを送受信する。
【００３０】
非接触ＩＣカードシステム送受信部２５は、制御部２６と有線接続されて非接触ＩＣカードシステムデータを送受信する。特に、この実施例では、非接触ＩＣカードシステム送受信面２４は、ＲＦＩＤの無線通信仕様に基づいて構成され、携帯電話機１が所定の範囲の領域内に接近したとき、同携帯電話機１が撮影許可信号の受信動作を行うための電力を電磁誘導によって供給すると共に同撮影許可信号を送信する。制御部２６は、読み取り部２３全体を制御するＣＰＵなどで構成されている。ＲＯＭ２６ａは、制御部２６を動作させるための機能制限制御プログラムが記録されている。
【００３１】
この場合、携帯電話機１の非接触ＩＣカードシステムデータ送受信部１５が読み取り部２３からデータ送受信面１６を経て撮影許可設定情報（撮影禁止暗号解除キー）を取得して制御部１４に送出すると、同制御部１４は、携帯電話機１の撮影設定状態をメモリ１０から読み出し、撮影禁止状態であればスイッチ１８をオン状態にして撮影許可状態に設定する。
【００３２】
図３は、図１又は図２中の非接触ＩＣカードシステムデータ送受信面１６の要部の電気的構成を示すブロック図である。
このデータ送受信面１６は、アンテナ３１と、通信制御部３２と、Ｉ／Ｏ部３３と、ＣＰＵ３４と、メモリ３５と、アンテナ３６と、電源生成部３７とから構成されている。このデータ送受信面１６では、図１中の読み取り部１９の非接触ＩＣカードシステム送受信面２０から発射された電力波がアンテナ３６を介して受信され、同データ送受信面１６を動作させるための電源が電源生成部３７で生成される。そして、非接触ＩＣカードシステム送受信面２０からの撮影禁止設定情報が、アンテナ３１、通信制御部３２、Ｉ／Ｏ部３３及びＣＰＵ３４を順次経てメモリ３５に記録される。また、このデータ送受信面１６では、図２中の読み取り部２３の非接触ＩＣカードシステム送受信面２４から発射された電力波がアンテナ３６を介して受信され、同データ送受信面１６を動作させるための電源が電源生成部３７で生成される。そして、非接触ＩＣカードシステム送受信面２４からの撮影許可設定情報が、アンテナ３１、通信制御部３２、Ｉ／Ｏ部３３及びＣＰＵ３４を順次経てメモリ３５に記録される。
【００３３】
図４は、図１の携帯通信端末システムの動作を説明するフローチャート、及び図５が、図２の携帯通信端末システムの動作を説明するフローチャートである。
これらの図を参照して、この例の携帯通信端末システムに用いられる機能制限方法の処理内容について説明する。
図１の携帯通信端末システムでは、非接触ＩＣカードシステム読み取り部１９は、携帯電話機１が所定の範囲の領域内に接近したとき、同携帯電話機１が撮影禁止信号の受信動作を行うための電力を電磁誘導によって供給すると共に同撮影禁止信号を送信し、携帯電話機１が、電源のオン／オフ状態に関わらず、非接触ＩＣカードシステム読み取り部１９から撮影禁止信号の受信動作を行うための電力の供給を電磁誘導によって受けると共に同撮影禁止信号を受信する。
【００３４】
すなわち、図４に示すように、携帯電話機１のユーザは、非接触ＩＣカードシステムデータ送受信面１６を、非接触ＩＣカードシステム読み取り部１９の非接触ＩＣカードシステムデータ送受信面２０にかざす（ステップＳ１）。このとき、携帯電話機１の制御部１４により、非接触ＩＣカードシステム読み取り部１９から反応があるか否かが判定される（ステップＳ２）。ステップＳ２で反応が確認された場合、ステップＳ３へ進む。ステップＳ２で反応が確認されない場合、ステップＳ６へ進む。ステップＳ３では、携帯電話機１の制御部１４は、メモリ１０から同携帯電話機１の識別情報、撮影許可状態、現日時などの情報を読み出し、非接触ＩＣカードシステム読み取り部１９に送信する。
【００３５】
ステップＳ４では、制御部１４は、ステップＳ３で送信した情報に対して、非接触ＩＣカードシステム読み取り部１９が撮影禁止設定情報（撮影禁止暗号キー）を送信してくるか否かを判定する。ステップＳ４で撮影禁止暗号キーを受信できた場合、ステップＳ５へ進む。ステップＳ４で撮影禁止暗号キーを受信できない場合、ステップＳ６へ進む。ステップＳ５では、制御部１４は、撮影禁止暗号キーを解読し、携帯電話機１を撮影禁止状態に設定するために、スイッチ１８をオフ状態とする。ステップＳ５の状態で、携帯電話機１は撮影禁止状態になるが、通話、通信など、撮影機能以外の機能は通常通りに使用することができる。また、撮影禁止暗号キーは、メモリ１０に蓄積される。
【００３６】
一方、ステップＳ６では、携帯電話機１は、非接触ＩＣカードシステム読み取り部１９から反応があるか否かを待ち、制御部１４が設定した待ち時間になるまではステップＳ２に戻り、同待ち時間を過ぎた場合（タイムアウト）、スタート（ＳＴＡＲＴ）時の状態（撮影許可状態）に戻る。
【００３７】
また、図２の携帯通信端末システムでは、非接触ＩＣカードシステム読み取り部２３は、携帯電話機１が所定の範囲の領域内に接近したとき、同携帯電話機１が撮影許可信号の受信動作を行うための電力を電磁誘導によって供給すると共に同撮影許可信号を送信し、携帯電話機１が、電源のオン／オフ状態に関わらず、非接触ＩＣカードシステム読み取り部２３から撮影許可信号の受信動作を行うための電力の供給を電磁誘導によって受けると共に同撮影許可信号を受信する。
【００３８】
すなわち、図５に示すように、携帯電話機１のユーザは、非接触ＩＣカードシステムデータ送受信面１６を、非接触ＩＣカードシステム読み取り部２３の非接触ＩＣカードシステムデータ送受信面２４にかざす（ステップＳ８）。このとき、携帯電話機１の制御部１４により、非接触ＩＣカードシステム読み取り部２３から反応があるか否かが判定される（ステップＳ９）。ステップＳ９で反応が確認された場合、ステップＳ１０へ進む。
ステップＳ９で反応が確認されない場合、ステップＳ１３へ進む。ステップＳ１０では、携帯電話機１の制御部１４は、メモリ１０から同携帯電話機１の識別情報、撮影禁止設定情報（撮影禁止暗号キー）、現日時などの情報を読み出し、非接触ＩＣカードシステム読み取り部２３に送信する。
【００３９】
ステップＳ１１では、制御部１４は、ステップＳ１０で送信した情報に対して、非接触ＩＣカードシステム読み取り部２３が撮影禁止状態を解除するための命令（撮影禁止暗号解除キー）を送信してくるか否かを判定する。ステップＳ１１で撮影禁止暗号解除キーを受信できた場合、ステップＳ１２へ進む。ステップＳ１１で撮影禁止暗号解除キーを受信できない場合、ステップＳ１３へ進む。ステップＳ１２では、制御部１４は、撮影禁止暗号解除キーを解読し、携帯電話機１を撮影許可状態に設定するために、スイッチ１８をオン状態とする。ステップＳ１２の状態で、携帯電話機１は、撮影部１７による撮影が可能になる他、通話、通信など、撮影機能以外の機能も通常通りに使用することができる。撮影禁止暗号キー及び撮影禁止暗号解除キーは、メモリ１０に蓄積せずに捨てる。
【００４０】
一方、ステップＳ１３では、携帯電話機１は、非接触ＩＣカードシステム読み取り部２３から反応があるか否かを待ち、制御部１４が設定した待ち時間になるまではステップＳ９に戻り、同待ち時間を過ぎた場合（タイムアウト）、スタート（ＳＴＡＲＴ）時の状態（撮影禁止状態）に戻る。
【００４１】
以上のように、この実施例では、次のような利点がある。
すなわち、図１の携帯通信端末システムでは、非接触ＩＣカードシステム読み取り部１９は、ＲＦＩＤの無線通信仕様に基づいて、携帯電話機１が撮影禁止信号の受信動作を行うための電力を電磁誘導によって供給すると共に同撮影禁止信号を送信し、携帯電話機１が、電源のオン／オフ状態に関わらず、同非接触ＩＣカードシステム読み取り部１９から同電力の供給を受けると共に同撮影禁止信号を受信するので、携帯電話機１の撮影機能の禁止設定を、ユーザではなく、撮影禁止区域の管理者が設定できる。また、図２の携帯通信端末システムでは、非接触ＩＣカードシステム読み取り部２３は、ＲＦＩＤの無線通信仕様に基づいて、携帯電話機１が撮影許可信号の受信動作を行うための電力を電磁誘導によって供給すると共に同撮影許可信号を送信し、携帯電話機１が、電源のオン／オフ状態に関わらず、同非接触ＩＣカードシステム読み取り部２３から同電力の供給を受けると共に同撮影許可信号を受信するので、携帯電話機１の撮影機能の禁止設定の解除を、ユーザではなく、撮影禁止区域の管理者が設定できる。このため、秘密事項に相当するものの画像の漏洩防止が確実に行われると共に管理者側の安心度が向上する。また、携帯電話機１のユーザも、管理者側から疑われることなく、通話や通信など、撮影以外の目的で携帯電話機１を撮影禁止区域内で使用することができる。
【００４２】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記実施例では、携帯電話機１の撮影部１７の機能が禁止／許可される例を示したが、撮影部１７の機能に限らず、たとえば、送信部６及び受信部７の動作禁止／動作許可状態を設定するようにしても良い。また、アンテナ共用部８とアンテナ９との間にスイッチを設け、制御部１４でオン／オフ状態を設定するようにしても良い。この場合、この発明の携帯通信端末システムは、たとえば病院内のように、携帯電話機による通信が禁止されている場所で用いて有効である。また、携帯電話機１にフラッシュ機能があれば、この機能の動作禁止／動作許可状態を設定するようにしても良い。
【産業上の利用可能性】
【００４３】
この発明は、カメラ付きの携帯電話機の他、たとえばＰＨＳ（Personal Handyphone System）やＰＤＡ（Personal Digital Assistants ）など、一つ又は複数の機能を有する携帯通信端末を使用する場合全般に対して適用できる。また、この発明は、たとえば映画館や美術館などに入場する際、携帯通信端末の非接触ＩＣカードシステムを用いて入場料の支払いを行うと同時に撮影機能を禁止状態に設定する場合などに適用できる。すなわち、ユーザは、チケット売場のような場所に設置された非接触ＩＣカードシステム読み取り部にカメラ付きの携帯電話機をかざして入場料を支払うと同時に撮影禁止設定状態にして入館し、退館時には、同非接触ＩＣカードシステム読み取り部に同携帯電話機をかざして撮影許可状態にして退館する。
【図面の簡単な説明】
【００４４】
【図１】この発明の実施例である携帯通信端末システムの要部の電気的構成を示すブロック図である。
【図２】この発明の実施例である携帯通信端末システムの要部の電気的構成を示す他のブロック図である。
【図３】図１又は図２中の非接触ＩＣカードシステムデータ送受信面１６の要部の電気的構成を示すブロック図である。
【図４】図１の携帯通信端末システムの動作を説明するフローチャートである。
【図５】図３の携帯通信端末システムの動作を説明するフローチャートである。
【符号の説明】
【００４５】
１      携帯電話機（携帯通信端末）
２      マイク（携帯通信端末の一部）
３      スピーカ（携帯通信端末の一部）
４      音声部（携帯通信端末の一部）
５      ベースバンド部（携帯通信端末の一部）
６      送信部（携帯通信端末の一部）
７      受信部（携帯通信端末の一部）
８      アンテナ共用部（携帯通信端末の一部）
９      アンテナ（携帯通信端末の一部）
１０      メモリ（携帯通信端末の一部）
１１      電源部（携帯通信端末の一部）
１２      キー入力部（携帯通信端末の一部）
１３      表示部（携帯通信端末の一部）
１４      制御部（携帯通信端末の一部）
１４ａ      ＲＯＭ（リードオンリメモリ）
１５      非接触ＩＣカードシステムデータ送受信部（無線受信手段の一部）
１６      非接触ＩＣカードシステムデータ送受信面（無線受信手段の一部）
１７      撮影部（カメラ、撮影手段）
１８      スイッチ（携帯通信端末の一部）
１９      非接触ＩＣカードシステム読み取り部（信号送信装置）
２０      非接触ＩＣカードシステム送受信面（信号送信装置の一部）
２１      非接触ＩＣカードシステム送受信部（信号送信装置の一部）
２２      制御部（信号送信装置の一部）
２２ａ      ＲＯＭ（信号送信装置の一部）
２３      非接触ＩＣカードシステム読み取り部（信号送信装置）
２４      非接触ＩＣカードシステム送受信面（信号送信装置の一部）
２５      非接触ＩＣカードシステム送受信部（信号送信装置の一部）
２６      制御部（信号送信装置の一部）
２６ａ      ＲＯＭ（信号送信装置の一部）
【図１】
2006191274.tif 000003
【図２】
2006191274.tif 000004
【図３】
2006191274.tif 000005
【図４】
2006191274.tif 000006
【図５】
2006191274.tif 000007